(57)【特許請求の範囲】
【請求項１】
白色光照明下においてラマン散乱計測を行うためのラマン散乱計測装置であって、
測定部位に照射するための観察用の白色光を発する白色光源と、
測定部位に照射するための励起レーザを発するレーザ光源と、
測定部位から発生したラマン散乱光を計測する分光器と、
を有し、
前記白色光源には、前記励起レーザの波長付近の光を除去する妨害光除去フィルタが設けられ、
前記分光器の受光部には、前記励起レーザの波長以下の波長の光を除去するためのエッジフィルタと、高次回折光がラマン散乱光計測の妨害光となる波長の光を除去する高次回折光除去フィルタが設けられている
ことを特徴とするラマン散乱計測装置。
【請求項２】
前記励起レーザは近赤外光であることを特徴とする請求項１に記載のラマン散乱計測装置。
【請求項３】
前記妨害光除去フィルタおよび高次回折光除去フィルタは、いずれも、干渉フィルタである
ことを特徴とする請求項１または２に記載のラマン散乱計測装置。
【請求項４】
前記妨害光除去フィルタは、励起レーザの波長以上の波長の光を除去するロングカットフィルタであり、
前記高次回折光除去フィルタは、前記分光器の２次回折光より長い波長の光のみを透過させるロングパスフィルタである、
ことを特徴とする請求項３に記載のラマン散乱計測装置。
【請求項５】
白色光照明下においてラマン散乱計測を行うためのラマン散乱計測装置であって、
励起レーザを発するレーザ光源と、
ラマン散乱光を計測する分光器と、
前記レーザ光源からの光を測定部位に導く励起側導光路と、測定部位からの信号光を前記分光器に導く受光側導光路とを有するラマンプローブと、
測定部位に照射するための観察用の白色光を発する光源を有するとともに、前記ラマンプローブを挿入可能な内視鏡と
から構成される生体内組織のラマン散乱を計測するためのラマン散乱計測装置であって、
前記白色光源には、前記励起レーザの波長付近の光を除去する妨害光除去フィルタが設けられ、
前記分光器の受光部には、前記励起レーザの波長以下の波長の光を除去するためのエッジフィルタと、高次回折光がラマン散乱光計測の妨害光となる波長の光を除去する高次回折光除去フィルタが設けられている
ことを特徴とするラマン散乱計測装置。
【発明の詳細な説明】
【技術分野】
【０００１】
本発明は、ラマン散乱測定装置に関し、特に白色光照明下においてラマン散乱を測定可能なラマン散乱測定装置に関する。
【背景技術】
【０００２】
ラマン散乱とは、物質に光を照射したときに、散乱光の中に、入射した光の波長とは異なる波長の光が含まれる現象である。ラマン散乱光と入射光の振動数の差（ラマンシフト）は、分子の固有振動モードの振動数に対応し、物質の構造に特有の値をとる。したがって、単色光であるレーザ光を物質に照射し、発生したラマン散乱光を分光器で検出して得たラマンスペクトルから、物質を同定できる。【０００３】
なお、ラマン散乱光の強度は非常に微弱であり、励起光の１００万分の１から１億分の１程度の強度しかない。ラマン測定を行う際には、観察光（白色光）は妨害光となるので、観察光を消灯する必要がある（たとえば、特許文献１）。また、励起レーザの波長とは異なる波長のレーザ光を観察光として用いることで、光学顕微鏡観察を行いながらラマン測定を可能とする顕微ラマン装置が知られている（特許文献２）。【０００４】
ところで、発明者らは、生体内組織をラマン計測するための内視鏡を開発している（非特許文献１）。ラマン計測は、内視鏡のチャンネルにラマンプローブ（特許文献３，４）を挿入して行う。生体組織をラマン計測することで、たとえば、患部が癌であるかないかを診断することが可能である。なお、この内視鏡を利用したラマン計測においても、観察用の照明（白色光）を消灯してラマン計測をする必要があった。
【先行技術文献】
【特許文献】
【０００５】
【特許文献１】特開２００７−２９２７０４号公報
【特許文献２】特開平１０−９００６４号公報
【特許文献３】特許第４０４１４２１号明細書
【特許文献４】特開２００４−２９４０９９号公報
【非特許文献】
【０００６】
【非特許文献１】Hattori et al., "In vivo Raman Study of the Living Rat Esophagus and Stomach Using a Micro-Raman Probe Under an Endoscope", Applied Spectroscopy, Vol. 61, Issue 6, pp. 579-584, 2007.
【発明の概要】
【発明が解決しようとする課題】
【０００７】
上記従来技術によるラマン計測では、観察光を消灯してラマン計測を行う必要があるため、測定部位の確認ができないという問題がある。特に生体を対象としてラマン測定をする場合には、測定部の位置を認識する必要があるだけでなく、動きのある測定部位にプローブの先端の位置をできるだけ追随させる必要がある。したがって、観察を行いながらラマン計測できることが望まれる。【０００８】
また励起レーザの波長と異なる波長の単色光レーザによって測定部位を観察することはできるが、単色光であるため色情報が得られない。また、単色光ではスペックルの発生により画像が非常に見づらいという問題もある。特に、生体組織の観察において色情報は非常に重要であるため、白色光での観察が望まれる。【０００９】
本発明はこのような問題点を考慮してなされたものであり、その目的は、白色光で測定部位を観察しつつラマン測定を行える技術を提供することにある。
【課題を解決するための手段】
【００１０】
本発明に係るラマン散乱計測装置は、
白色光照明下においてラマン散乱測定を行うためのラマン散乱計測装置であって、
測定部位に照射するための観察用の白色光を発する白色光源と、
測定部位に照射するための励起レーザを発するレーザ光源と、
測定部位から発生したラマン散乱光を計測する分光器と、
を有し、
前記白色光源には、前記励起レーザの波長付近の光を除去する妨害光除去フィルタが設けられ、
前記分光器の受光部には、前記励起レーザの波長以下の波長の光を除去するためのエッジフィルタと、高次回折光がラマン散乱光計測の妨害光となる波長の光を除去する高次回折光除去フィルタが設けられている
ことを特徴とする。
【００１１】
観察用の白色光による影響を排除するためには、白色光から励起レーザの波長付近の成分を除外すればよいと考えられる。しかしながら、発明者らが、白色光源にフィルタを設けて実際に試したみたところ、このフィルタだけでは正しくラマン計測が行えないことが分かった。その理由は、白色光に含まれる、フィルタで除外した波長よりも短い波長の光が、高次回折光として分光器で検出されるためだと判明した。そこで、分光器の受光部に、この高次回折光を除去するフィルタを設けることで、白色光で観察しながらであっても、精度良くラマン計測を行えるようになる。なお、白色光源側に高次回折光除去フィルタを設けてもラマン計測は正しく行えるが、分光器側にこのフィルタを設けることで、観察光の白色性を損なわないようにすることができる。【００１２】
本発明において、励起レーザは近赤外光であることが好適である。近赤外光を用いることで、蛍光の妨害を回避できるだけでなく、観察用の白色光からこの周波数領域の光を除去しても光の白色性があまり損なわれないからである。【００１３】
本発明における妨害光除去フィルタおよび高次回折光除去フィルタは、いずれも干渉フィルタであることが好適である。なお、干渉フィルタとは、薄膜またはその多重層膜の光の干渉作用を用いて、所要の波長領域の光を透過または反射させるフィルタである。ラマン計測においては妨害光を高精度に遮断する必要がある（光学濃度６〜８以上）ので、干渉フィルタを使用することが好適である。【００１４】
本発明において、白色光源側に設けられる妨害光除去フィルタは、励起レーザの波長付近の光を除去できるバンドカットフィルタでもよいが、励起レーザの波長以上の波長を除去するロングカットフィルタ（ショートパスフィルタ）としても良い。また、分光器の受光部に設けられる高次回折光除去フィルタも、高次回折光のみを除去するバンドカットフィルタでもよいが、２次回折光の波長より長い波長の光のみを透過するロングパスフィルタ（ショートカットフィルタ）としても良い。【００１５】
また、高次回折光除去フィルタは、全ての高次回折光成分を除去する必要はなく、高次回折光として分光器で検出される高次回折光のみを除去すればよい。たとえば、３次以上の回折光が分光器で検出されないのであれば、高次回折光除去フィルタは２次回折光のみを除去すればよい。【００１６】
また、本発明は内視鏡と組み合わせて生体内部のラマン計測を行うラマン散乱計測装置として捉えることもできる。すなわち、本発明は、
白色光照明下においてラマン散乱計測を行うためのラマン散乱計測装置であって、
励起レーザを発するレーザ光源と、
ラマン散乱光を計測する分光器と、
前記レーザ光源からの光を測定部位に導く励起側導光路と、測定部位からの信号光を前記分光器に導く受光側導光路とを有するラマンプローブと、
測定部位に照射するための観察用の白色光を発する光源を有するとともに、前記ラマンプローブを挿入可能な内視鏡と、
から構成される生体内組織のラマン散乱を計測するためのラマン散乱計測装置であって、
前記白色光源には、前記励起レーザの波長付近の光を除去する妨害光除去フィルタが設けられ、
前記分光器の受光部には前記励起レーザの波長以下の波長の光を除去するためのエッジフィルタと、高次回折光がラマン散乱光計測の妨害光となる波長の光を除去する高次回折光除去フィルタが設けられている
ことを特徴とするラマン散乱計測装置として捉えることも可能である。
【発明の効果】
【００１７】
本発明に係るラマン散乱計測装置によれば、白色光によって測定部位を観察しつつラマン測定を行うことが可能となる。
【図面の簡単な説明】
【００１８】
【図１】図１は、第１の実施形態に係るラマン散乱計測装置を利用した内視鏡システムの構成を示す図である。
【図２】図２は、ラマンプローブの励起光射出側の端部を示した図である。
【図３】図３は、（Ａ）ラマン用エッジフィルタおよび（Ｂ）短波長カットフィルタのフィルタ特性を示す図である。
【図４】図４は、赤外カットフィルタのフィルタ特性を示す図である。
【図５】図５は、従来の装置における観察光の影響を示す図であり、図５（Ａ）は観察光なしでの計測信号、図５（Ｂ）は観察光有りでの計測信号を示す図である。
【図６】図６は、白色光源に赤外カットフィルタを設けた場合の効果を説明する図であり、図６（Ａ）は赤外カットフィルタを設けずに観察光有りで計測した場合の計測信号、図６（Ｂ）は赤外カットフィルタを設けて観察光有りで計測した場合の計測信号を示す図である。
【図７】図７は、ラマン用エッジフィルタのフィルタ特性を、図３（Ａ）よりも広い波長領域について示した図である。
【図８】図８は、観察光に含まれる波長成分のうち、ラマン計測の妨げとなる波長範囲を示す図である。
【図９】図９は、第１の実施形態に係るラマン散乱計測装置を用いて、観察光有り・試料なしで計測した場合の計測結果を示す図である。
【図１０】図１０は、第１の実施形態に係るラマン散乱計測装置を用いて炭酸カルシウムのラマンシフトを計測した結果を示す図であり、観察光なし（Ａ）と観察光有り（Ｂ）の場合を比較する図である。
【図１１】図１１は、第１の実施形態に係るラマン計測装置を用いて、観察光を照射しつつ、ラットの幽門部のラマンシフトを計測した結果を示す図である。
【図１２】図１２は、白色ＬＥＤ光源を観察用照明の光源として利用する場合の構成を示す図である。
【図１３】図１３は、第２の実施形態に係る顕微ラマン装置の構成を示す図である。
【発明を実施するための最良の形態】
【００１９】
以下に図面を参照して、この発明の好適な実施の形態を例示的に詳しく説明する。【００２０】
（第１の実施形態）
図１は、本実施形態に係るラマン散乱計測装置の構成を示す図である。本実施形態は、ラマンプローブと内視鏡を組み合わせて、生体の内部をラマン計測する。本実施形態にかかるラマン散乱計測装置は、白色光源を測定部位に照射して観察を行いつつ、ラマン計測を行えるようにしたことを特徴とする。【００２１】
［構成］
このラマン散乱計測装置は、励起用レーザ光源１、ラマン分光器２、測定物と励起用レーザ光源１およびラマン分光器２の間を結ぶラマンプローブ３を備える。【００２２】
励起用レーザ光源１として、本実施形態では、波長７８５ｎｍのＣＷラマン分光用半導体レーザ（EnWave Optronics社、ESL-785-400MSF型）を利用した。ラマン散乱測定においては、励起光の波長によってはラマン散乱を妨害する蛍光が発生することがあるので、蛍光が発生しにくい近赤外線を用いる必要がある。【００２３】
ラマン分光器（Kaiser Optical Systems社、HoloSpec F/1.8）２は、受光部に設けられるプレフィルタ２ａ、透過型回折格子２ｂ、及びＣＣＤ検出器２ｃから構成される。プレフィルタ２ａについては後ほど説明する。入射スリットの幅を１１０μｍ（５ｃｍ-1のスペクトル解像度に対応）として、ラマンシフトの波数範囲である５０ｃｍ-1−２０００ｃｍ-1を測定できるようにＣＣＤ検出器２ｃ（Andor Technology社、DU401A-BR-DD）を配置している。ＣＣＤ検出器２ｃにより検出された信号は、コンピュータ４に送られ、解析・表示・記録などがされる。【００２４】
図２は、ラマンプローブ３を、励起光射出端から見た図である。図に示すように、中心に位置する１本の励起側光ファイバー３１と、それを取り囲むように配置された８本の受光側光ファイバー３２を備える。励起側光ファイバー３１の先端にはレーザ光源１から射出された励起光のみを通過させるバンドパスフィルタ３３が装着され、受光側光ファイバー３２の先端には励起波長を通さず、試料から発生されたラマン散乱光を通過させるエッジフィルタ（長波長透過フィルタ）３４が装着されている。励起側光ファイバー３１の先端にはステンレス製のパイプ３５が装着され、励起側光ファイバー３１と受光側光ファイバー３２の間を遮光し、励起側光ファイバー３１から射出した励起光が直接受光側光ファイバー３２に入射しないように設計されている。なお、ラマンプローブ３の詳しい構成や製造方法については、特許文献３（日本国特許第４０４１４２１号）に詳しく記されているので、ここでの説明は省略する。【００２５】
内視鏡８は、白色光源であるキセノンランプ光源５から光を測定部位に導くライトガイド、観察光をカメラ６に導くイメージガイド、およびラマンプローブ３を通すワーキングチャネルが設けられている。カメラ６によって撮影された測定部位の様子は、モニタ７に映し出される。【００２６】
［フィルタ特性］
次に、ラマン分光器２およびキセノンランプ光源５に用いられるフィルタについて説明する。ラマン分光器２の受光部側に設けられたプレフィルタ２ａは、図１中の拡大図に示されるように、ラマン用エッジフィルタ（ロングパスフィルタ）１１と短波長カットフィルタ１２を備える。【００２７】
ラマン用エッジフィルタ１１は、強いレイリー散乱光が分光器内に入らないようにするためのものである。このエッジフィルタ１１のフィルタ特性は、図３（Ａ）に示すように励起光の波長である７８５ｎｍをカットし、ラマン散乱光を透過させる特性を有する。なお、ラマン散乱光は非常に微弱であり励起光の１００万分の１程度またはそれ以下であるため、レイリー散乱光を十分に遮断できるエッジフィルタ１１を使用する必要がある。【００２８】
短波長カットフィルタ１２は、ラマン分光器２の２次回折光となる波長範囲３９０ｎｍ−４６０ｎｍの光を遮断するために用いられる。なお、ここでは図３（Ｂ）に示すように、波長４６０ｎｍ以下の光を遮断する短波長カットフィルタを搭載している。【００２９】
キセノンランプ光源５に用いられる赤外カットフィルタ１３は、観察光から励起レーザの波長である７８５ｎｍ以上の波長の光を遮断するフィルタである。この波長範囲の光が測定対象に照射されると、ラマン計測の妨害光となるためその波長成分を除去する必要がある。なお、この目的のためには、７８５ｎｍ付近の波長のみを除去するバンドカットフィルタを採用しても良いが、７８５ｎｍ以上の波長の光は観察のためには不要であるため、図４に示すように７００ｎｍ以上の波長を除去するロングカットフィルタ（ショートパスフィルタ）を採用している。【００３０】
なお、ここで説明した、ラマン用エッジフィルタ１１、短波長カットフィルタ１２および赤外カットフィルタ１３のうち、ラマン用エッジフィルタ１１は従来から使用されていたものであり、赤外カットフィルタ１３および短波長カットフィルタ１２を採用した点が本実施形態の特徴である。【００３１】
〈観察光を使用したラマン計測の問題点〉
前述したように、観察光を照射して測定部位を観察しながらラマン計測を行うことが望まれている。【００３２】
ここで、従来の装置、すなわち、上述のラマン散乱計測装置から赤外カットフィルタ１３および短波長カットフィルタ１２を除いた構成の装置によってラマン計測をする場合を説明する。たとえば、炭酸カルシウムをサンプルとした場合は、図５（Ａ）に示すようなラマンスペクトルが得られる。これに対して、従来の装置を用いて観察光を照射しつつラマン計測を行った場合の計測信号は図５（Ｂ）に示すようになる。なお、図５（Ａ）と（Ｂ）の縦軸はそれぞれ正規化されており、スケールが異なっている。図５（Ｂ）に示すように、観察光を点灯した場合は観察光が妨害光となって、ラマンスペクトルの計測が行えないことが分かる。【００３３】
〈参考例：赤外カットフィルタのみ適用〉
ここで、ラマン計測の妨害光となるのは、励起レーザの波長付近の光である。したがって、キセノンランプ光源５から照射される光から、この波長範囲の光を除去すれば、観察光はラマン計測に悪影響を与えず、正しい計測が行えるものと考えられる。そこで、従来の装置に赤外カットフィルタ１３を適用した構成（すなわち、本実施形態の構成から短波長カットフィルタ１２を除いた構成）を試した。図６は、サンプルを置かずに計測した場合の結果であり、図６（Ａ）は従来の装置による計測結果、図６（Ｂ）は従来の装置に赤外カットフィルタを適用した装置による計測結果を示す。サンプルを置いていないので、ノイズによる影響がなければ計測信号にピークが見られないはずである。【００３４】
図６（Ａ）は赤外カットフィルタ１３を適用しない場合の計測結果であるため、キセノンランプに含まれる光の影響が現れている。赤外カットフィルタ１３を適用した図６（Ｂ）では、観察光による影響を排除して計測信号にピークが現れないことが期待されたが、ノイズを除去できたのはシフト量１０００ｃｍ-1以下であり、シフト量１０００ｃｍ-1以上の範囲でノイズを除去できていないことが分かった。【００３５】
〈本実施形態：赤外カットフィルタおよび短波長カットフィルタの併用〉
本発明者らはこの原因を検討したところ、図６（Ｂ）で観測されている信号は、分光器２の２次回折光に相当する波長範囲３９０ｎｍ〜４６０ｎｍの光であることが判明した。また、この波長範囲の光は、７８５ｎｍ以下の波長の光をカットするラマン用エッジフィルタ１１によっては除去されないものである。エッジフィルタ１１は高い遮断率(光学濃度)と遮蔽波長における遮断率の鋭い立ち上がりを要するために干渉フィルタを利用しており、設計上広範囲に渡って短波長側を高い光学濃度でブロックするロングパスフィルタは実現が非常に難しい。エッジフィルタ１１の遮断特性は、波長７８５ｎｍ付近では図３（Ａ）に示すようになるが、実際には図７に示すように短波長領域の光を一部透過させてしまう。【００３６】
このように、分光器の高次回折およびエッジフィルタ１１の特性を考慮すると、図８に示すように、キセノンランプのうち波長が７８５ｎｍ以上の光だけでなく、３９０ｎｍ〜４６０ｎｍの光も除去する必要があることが分かる。そこで、本実施形態では、分光器２のプレフィルタ２ａに、短波長カットフィルタ１２（遮断特性は図３（Ｂ））を採用している。なお、この短波長カットフィルタ１２は、キセノンランプ光源５側に設けても妨害光による影響を排除することができるが、そうすると観察光の白色性が失われてしまい正しい色情報での観察が困難となる。短波長カットフィルタ１２を分光器２側に設けることで、観察光の白色性が失われず正しい色情報で観察を行いながらラマン計測が行えるようになる。【００３７】
〈本実施形態の作用・効果〉
本実施形態によるラマン散乱計測装置を用いて、観察光を照射しつつラマン計測をしたときの計測結果を図９〜図１１に示す。【００３８】
図９は、サンプルを置かずに、観察光を照射しつつ計測を行った場合の計測信号を示している。計測信号にピークが見られず、観察光によるノイズが現れていないことが分かる。また、図１０は、炭酸カルシウムをサンプルとした時に、観察光なしでの計測（Ａ）と観察光有りでの計測（Ｂ）を示したものである。図に示すように、観察光があってもなくても同様の結果が得られることが分かる。この際、ノイズによる影響を受けないだけでなく、フィルタを設けてもラマンスペクトルの強度にはほとんど影響がないことも分かる。【００３９】
また、図１１は、本実施形態によるラマン散乱計測装置を用いて、白色光による観測を行いつつ、ラットの幽門部を測定した結果である。生体から発せられるラマン散乱光は非常に強度が弱いものの、生体のラマンスペクトルであっても観察光の影響を受けずに測定できていることが分かる。【００４０】
このように、白色光による観察を行いながらラマン計測が可能な内視鏡システムを実現することができる。白色光による観察なので、測定部位の形状だけでなく色情報も正しく観察することができる。生体内部の測定、たとえば癌の部位があるかなどの検査では、色情報が重要であるため本実施形態による内視鏡システムを利用したラマン計測は非常に有効である。また、生体内部を計測する場合に、測定部位の動きにあわせてラマンプローブを追随させる必要があるが、観察を行いながらであるため容易に行うことができる。【００４１】
〈変形例〉
第１の実施形態では、波長７８５ｎｍのレーザを用いているが、もちろん、その他の波長のレーザを用いてラマン計測を行っても良い。たとえば、より長波長な１．０６μｍのＹＡＧレーザを用いて計測を行っても良い。この際、妨害光を除去するフィルタを他のフィルタと分けているため、白色光源に適用する赤外カットフィルタと、分光器に適用する短波長カットフィルタをそれぞれ変更するだけで対応可能である。【００４２】
また、第１の実施形態では、観察光の光源としてキセノンランプ光源を利用しているが、その他の白色光源を利用した場合であっても、同様に観察とラマン計測を実施することができる。たとえば、キセノンランプ光源ではなくハロゲンランプ光源を利用しても良い。また、図１２に示すように、観察光の光源として白色ＬＥＤ光源１０を利用しても良い。この構成では、白色ＬＥＤ光源１０から射出された光から、赤外カットフィルタ１３によって近赤外成分を除去した上で、内視鏡８のライトガイドに入射させている。【００４３】
また、第１の実施形態では透過型回折格子２ｂの２次回折光までしかＣＣＤ検出器２ｃによって検出されず、したがって２次回折光に相当する光のみを短波長カットフィルタ１２によって遮断している。しかしながら、３次以上の高次回折光も検出される場合はプレフィルタ２ａによって高次回折光に相当する波長の光を遮断することが求められる。【００４４】
また、第１の実施形態では、励起光よりも長波長のストークス散乱光を観察する構成を採用しているが、アンチストークス散乱光を観察する場合には使用するフィルタの特性を適宜変更すればよい。たとえば、エッジフィルタ１１として、励起波長を通さず、励起波長よりも短波長の光を透過するショートパスフィルタを採用すればよい。【００４５】
また、内視鏡観察を行う場合、室内灯（白色光）からの光も皮膚を透過して、ラマン計測に対して悪影響を与える。そのため、従来は室内灯を消灯したり励起波長と異なる単一波長の光を使用していたが、室内灯に対しても赤外カットフィルタを適用することが好適である。このようにすれば、室内灯を点灯してもラマン計測に対するノイズとはならず、室内灯を点灯したままラマン計測を行うことができる。【００４６】
（第２の実施形態）
本発明に係るラマン散乱計測装置は、顕微ラマン装置である。図１３に、その構成を示す。顕微ラマン装置では、照明用光源２５から発せられた光を試料に照射し、試料からの光をカメラ２７で検出してモニタ２８に表示することで顕微鏡画像が得られる。一方、励起用レーザ２１から発せられた光を試料に照射し、ラマンシフトの波長領域の光強度を分光器２２で検出することで、ラマン測定が行える。【００４７】
ここで、照明用光源２５に赤外カットフィルタ２６を設けて、励起波長付近の光を観察用照明から除去する。一方、分光器２２の前段に短波長カットフィルタ２３を設けて、分光器で高次回折光として検出される波長領域の光を遮断する。なお、励起レーザの分光器への入射を遮断するエッジフィルタは図示していない。【００４８】
このように本実施形態に係る顕微ラマン装置に置いても、第１の実施形態と同様に、白色光による自然な観測とラマン散乱計測とを同時に行うことが可能である。
【符号の説明】
【００４９】
１  励起用レーザ光源
２  ラマン分光器
２ａ  プレフィルタ
２ｂ  透過型回折格子
５  キセノンランプ光源
１１  ラマン用エッジフィルタ
１２  短波長カットフィルタ
１３  赤外カットフィルタ
【図１】
0005476547.tif 000002
【図２】
0005476547.tif 000003
【図３】
0005476547.tif 000004
【図４】
0005476547.tif 000005
【図５】
0005476547.tif 000006
【図６】
0005476547.tif 000007
【図７】
0005476547.tif 000008
【図８】
0005476547.tif 000009
【図９】
0005476547.tif 000010
【図１０】
0005476547.tif 000011
【図１１】
0005476547.tif 000012
【図１２】
0005476547.tif 000013
【図１３】
0005476547.tif 000014